(57)【特許請求の範囲】
【請求項１】
ホーム公衆陸上モバイルネットワーク（ＰＬＭＮ）により実行される、ユーザ機器（ＵＥ）デバイスが信頼できないネットワークにアクセスすることによってインターワーキング機能エンティティ経由で前記ホームＰＬＭＮと第１の接続をするときに、非ホームＰＬＭＮに対する前記ＵＥデバイスのアタッチメントを制御する方法であって、前記方法は、
前記ＵＥデバイスが前記第１の接続と並行して、信頼できるネットワークへの第２の接続経由での前記非ホームＰＬＭＮへのアタッチメントを要求した場合に、前記ＵＥデバイスによる前記非ホームＰＬＭＮへの前記アタッチメントが拒絶されるどうかの決定を前記ホームＰＬＭＮで行う段階と、
前記非ホームＰＬＭＮに前記決定を伝える段階と
を備え、
前記ホームＰＬＭＮは、前記ＵＥデバイスの要求が拒絶されているというメッセージを前記非ホームＰＬＭＮに伝え、前記メッセージは更に、前記ホームＰＬＭＮとの前記第１の接続が確立されている間、前記ＵＥデバイスによる前記非ホームＰＬＭＮへのアタッチメントの更なる要求が少なくとも１つのサービスについて禁止されていることを示すことで、前記インターワーキング機能エンティティ経由での前記ホームＰＬＭＮへの前記第１の接続が保持されている限り、前記ＵＥデバイスに、前記少なくとも１つのサービスについて前記非ホームＰＬＭＮへのアタッチメントの要求を避けさせる、方法。
【請求項２】
前記ホームＰＬＭＮは、前記決定を行うときに、前記信頼できないネットワークへの前記アクセスが前記非ホームＰＬＭＮにより制御され得るかどうか、前記信頼できないネットワークへのアクセスの質、前記信頼できないネットワークへのアクセスのタイプ、および、前記ホームＰＬＭＮの１つまたは複数のポリシーのうちの少なくとも１つを考慮する、請求項１に記載の方法。
【請求項３】
前記ホームＰＬＭＮの前記１つまたは複数のポリシーは、前記ホームＰＬＭＮの現在のネットワーク負荷に関するポリシー、ＵＥデバイス固有のポリシー、および、前記信頼できないネットワークの識別情報に関するポリシーのうちの少なくとも１つを含む、請求項２に記載の方法。
【請求項４】
前記ホームＰＬＭＮは、前記信頼できないネットワーク経由での前記第１の接続が切断されたという判断を受けて、前記非ホームＰＬＭＮにＵＥデバイスコンテキスト情報を提供する、請求項１から３の何れか一項に記載の方法。
【請求項５】
信頼できないネットワーク経由でホーム公衆陸上モバイルネットワーク（ＰＬＭＮ）との接続を確立するよう適合させられるユーザ機器（ＵＥ）デバイスであって、前記ＵＥデバイスは更に、要求メッセージを用いて、前記信頼できないネットワーク経由で前記ホームＰＬＭＮに接続されている間に非ホームＰＬＭＮとの接続を要求するよう適合させられ、前記要求メッセージは、前記信頼できないネットワーク経由での前記ホームＰＬＭＮへの前記接続が確立されているという情報を含み、
前記ＵＥデバイスは、前記ホームＰＬＭＮとの前記接続が確立されている間、前記非ホームＰＬＭＮへのアタッチメントの更なる要求が少なくとも１つのサービスについて禁止されていることを前記ＵＥデバイスに通知する拒絶メッセージを前記非ホームＰＬＭＮから受信するよう適合させられ、前記ＵＥデバイスは、
前記信頼できないネットワーク経由での前記ホームＰＬＭＮへの前記接続が保持されている限り、前記非ホームＰＬＭＮとの接続を要求することを避けること、
特定のサービスについては前記非ホームＰＬＭＮに接続し、他のサービスについては前記非ホームＰＬＭＮに接続しないこと、および、
緊急アタッチ手続きを用いて緊急電話をかけることができるよう、前記非ホームＰＬＭＮのセルにキャンプオンすること
のうちの少なくとも１つを実行することにより、前記非ホームＰＬＭＮから受信した前記拒絶メッセージに応答する、ＵＥデバイス。
【請求項６】
前記ＵＥデバイスは、前記信頼できないネットワーク経由での前記ホームＰＬＭＮへの前記接続が失われた場合に、前記非ホームＰＬＭＮへの接続を要求するようアレンジされる、請求項５に記載のＵＥデバイス。
【請求項７】
ユーザ機器（ＵＥ）デバイスにとってのホームＰＬＭＮとして機能し、かつ、前記ＵＥデバイスが信頼できないネットワークにアクセスすることによってインターワーキング機能エンティティ経由で前記ホームＰＬＭＮと接続するときに、非ホームＰＬＭＮに対する前記ＵＥデバイスのアクセスを制御するようアレンジされている、公衆陸上モバイルネットワーク（ＰＬＭＮ）であって、前記ホームＰＬＭＮは、
前記ＵＥデバイスが前記非ホームＰＬＭＮの無線アクセスネットワークのカバレッジにあることを示す情報を前記ＵＥデバイスから受信したことに応答して、前記ＵＥデバイスの設定情報を提供するよう構成され、前記設定情報は、前記ホームＰＬＭＮとの前記接続が確立されている間、前記ＵＥデバイスによる前記非ホームＰＬＭＮへのアタッチメントの要求が少なくとも１つのサービスについて禁止されていることを示すことで、前記インターワーキング機能エンティティ経由での前記ホームＰＬＭＮへの前記接続が保持されている限り、前記ＵＥデバイスに、前記少なくとも１つのサービスについて前記非ホームＰＬＭＮへのアタッチメントの要求を避けさせる、ＰＬＭＮ。
【請求項８】
前記ＵＥデバイスが前記非ホームＰＬＭＮの無線アクセスネットワークのカバレッジにあることを示す前記情報は、前記非ホームＰＬＭＮの前記無線アクセスネットワークから受信した信号の検出、前記非ホームＰＬＭＮの前記無線アクセスネットワークから受信した情報、および、前記ＵＥデバイスの位置に関する位置情報のうちの少なくとも１つである、請求項７に記載のＰＬＭＮ。
【請求項９】
信頼できないネットワーク経由でホーム公衆陸上モバイルネットワーク（ＰＬＭＮ）との接続を確立するよう適合させられるユーザ機器（ＵＥ）デバイスであって、前記ＵＥデバイスは更に、
前記ＵＥデバイスが非ホームＰＬＭＮの無線アクセスネットワークのカバレッジにあることを示す情報を前記ホームＰＬＭＮに伝送することと、
前記ホームＰＬＭＮから設定情報を受信することであって、前記設定情報は、前記ホームＰＬＭＮとの前記接続が確立されている間、前記ＵＥデバイスによる前記非ホームＰＬＭＮへのアタッチメントの要求が少なくとも１つのサービスについて禁止されていることを示すことで、インターワーキング機能エンティティ経由での前記ホームＰＬＭＮへの前記接続が保持されている限り、前記ＵＥデバイスに、前記少なくとも１つのサービスについて前記非ホームＰＬＭＮへのアタッチメントの要求を避けさせる、受信することと、
前記ＵＥデバイスが前記ホームＰＬＭＮとの前記接続の損失を検出したことに応答して、前記非ホームＰＬＭＮへのアタッチメントを要求することと
を行うよう適合させられる、ＵＥデバイス。
【発明の詳細な説明】
【技術分野】
【０００１】
本発明は、ユーザ機器（ＵＥ）デバイスのローミングを制御する方法に関する。
【０００２】
ＵＥデバイスは概して、しばしばホーム公衆陸上モバイルネットワーク（ＰＬＭＮ）と呼ばれるホームネットワークを有し、しばしば訪問先ＰＬＭＮと呼ばれる第２のネットワークによりカバーされる地理的エリア内にローミングし得る。これらのネットワークへの接続に加えて、ＵＥデバイスは、例えば、ホットスポットなどを使用したＷＬＡＮのような信頼できないネットワークへの接続を形成し得る。
【０００３】
現在のところ、標準化団体は、いわゆる第５世代、すなわち５Ｇのセルラ通信ネットワークを定義することに関与している。５Ｇのコアネットワーク（ＣＮ）アーキテクチャは未だ標準化手法に定められていないが、完成したアーキテクチャには様々な機能および機能間の相互接続が存在していると考えられ得る。図１は、現在３ＧＰＰにおいて論じられているような５Ｇ用のＣＮアーキテクチャを示している。これは、エンハンスドパケットシステム（ＥＰＳ）またはエンハンスドパケットコア（ＥＰＣ）と呼ばれる４Ｇシステムのコアネットワークアーキテクチャに極めて類似している。
【０００４】
セルラモバイルネットワークは概して、図１に示されている通り、アクセスネットワークおよびコアネットワークから成る。アクセスネットワーク（（Ｒ）ＡＮ）は、例えば、ＧＳＭ（登録商標）、ＵＭＴＳまたはＬＴＥ経由でのモバイルデバイスへのセルラ無線アクセスを主に提供する。更なるアクセスネットワークが、図１に無線ローカルエリアネットワーク（ＷＬＡＮ）として例示的に示されている、近距離無線アクセス（例えば、ＷＬＡＮ）または固定アクセスもしくは衛星アクセス経由でのモバイルデバイスまたは固定デバイスへのアクセスを提供し得る。アクセスネットワークは通常、デバイスへの無線接続をセットアップ、制御および保持するために完全な機能性を提供する。
【０００５】
コアネットワークは、アクセスに依存しない機構、例えば、デバイスおよび／または加入者の認証、許可およびアカウンティング（ＡＡＡ）、アクセスネットワーク間のモビリティ、並びに、アクセスネットワークと外部データネットワークとの間のルーティングを提供する。
【０００６】
ＵＥは概して、無線アクセスネットワーク（Ｒ）ＡＮであるかもしれないアクセスネットワークを介して３ＧＰＰ  ＣＮにアクセスする。無線アクセスネットワークが３ＧＰＰ、例えば、新たに定義された５Ｇ無線アクセスネットワークにより定義される場合は、ネットワークノードがモバイルネットワークオペレータにより操作され、ネットワークノードが信頼できると見なされる。その後、アクセスネットワークは、アクセスおよびモビリティ機能（ＡＭＦ）への直接接続を提供する。この接続はＮＧ２と呼ばれる。ＡＭＦは、図１に示されている全ての要素について、１つのＣＮに複数回現れ得る。ネットワークへのＵＥ登録では、通常１つのＡＭＦが１つのＵＥのために選択され、たった１つのＡＭＦが１回に１つのＵＥを担う。ＡＭＦは、全てのＣＮ要素のように、それぞれのインタフェースを介して他のＣＮ要素に通信し得る。ＡＭＦは、例えば、加入者および加入されたサービスに関する情報を受信するユーザデータ管理（ＵＤＭ）と、登録時にＵＥを認証してＵＥとの通信に使用されるセキュリティ証明書を受け取る認証サーバ機能（ＡＵＳＦ）とに接続する。
【０００７】
ＵＥは信頼できる何れのオペレータによってもセットアップおよび保守され得ないアクセスネットワークをも介してネットワークにアクセスすることができ、ＵＥはオペレータのドメインの外側に存在してもよい。これらのアクセス技術は、まとめて非３ＧＰＰアクセス（Ｎ３ＧＰＰ）と呼ばれ、コアネットワークとアクセスネットワークとの間に信頼関係がなければ、これらのアクセス技術は、いわゆる信頼できないＮ３ＧＰＰアクセスであるかもしれない。
【０００８】
図１には、（Ｒ）ＡＮおよびＮ３ＧＰＰアクセス技術を含むネットワークアーキテクチャの例が示されている。この図は、３ＧＰＰアクセス技術（（Ｒ）ＡＮ）経由での、および、無線ローカルエリアネットワーク（ＷＬＡＮ）として例示的に示されている非３ＧＰＰアクセス経由でのＣＮへのアクセスを提供するネットワーク要素を示している。ＷＬＡＮは、インターネットへのアクセスを提供する例示的な信頼できないノードであることから、ＷＬＡＮ自体は、コアネットワークの内側にあるノードへのアクセスを直接提供することができない。ＷＬＡＮは、公衆インターネットを介してＵＥに非３ＧＰＰインターワーキング機能（Ｎ３ＩＷＦ）への接続を提供する可能性が高い。このＣＮ要素は、信頼できないＮ３ＧＰＰノードからＣＮへのアクセスを可能にすべく指定され、複数の信頼できない非３ＧＰＰアクセスネットワーク（図１に示されているのは１つだけである）を蓄積し得る。Ｎ３ＩＷＦは、オペレータにより保守され得ることから信頼され得るデバイスである。
【０００９】
３ＧＰＰアクセス、例えば、（Ｒ）ＡＮ経由でのネットワークへの初期アクセスを要求するＵＥが、（Ｒ）ＡＮの基地局への無線接続を確立し、ネットワークにＵＥを登録させるための要求を伝送することになる。ＵＥは、その要求で初期のＵＥのＩＤ、永続的または一時的なＩＤを提供し得る。基地局は、アクセスおよびモビリティ機能（ＡＭＦ）であるかもしれない、コアネットワークの適切な機能を選択することになる。ＡＭＦは、加入者情報を受信してＵＥを認証すべく、認証サーバ機能（ＡＵＳＦ）およびユーザデータ管理（ＵＤＭ）に接触することになる。
【００１０】
まず、非３ＧＰＰアクセス、例えば、ＷＬＡＮおよび公衆インターネットのような信頼できない非３ＧＰＰアクセス経由でのネットワークへの初期アクセスを要求するＵＥが、コアネットワークへアクセスするＮ３ＩＷＦに接触することになる。Ｎ３ＩＷＦは、ＡＭＦを選択し、ＡＭＦに登録要求を提供することになる。以下のようなＡＵＳＦでのＵＥの認証は、ＵＥとＮ３ＩＷＦとの間のＩＰｓｅｃトンネルおよびセキュリティアソシエーションの確立を含む。登録手続きの終わりに、アクセスネットワーク、（Ｒ）ＡＮまたはＷＬＡＮおよびＮ３ＩＷＦは、サービス提供ＡＭＦに対するＵＥ固有の接続をセットアップした状態にある。この接続はＮ２と呼ばれ、アクセスネットワークを介したＵＥへの接続と共に、ＵＥとＡＭＦとの間の論理的接続、いわゆる、図１に示されているようなＮ１インタフェース用のベースである。
【００１１】
本明細書では、データ伝送に関わるネットワーク要素、例えば、セッション管理機能（ＳＭＦ）、ユーザプレーン機能（ＵＰＦ）およびデータネットワーク（ＤＮ）について説明しない。なぜなら、本発明は、上述のエンティティを含む制御プレーンに関する解決手段に重点を置いているからである。
【００１２】
図２は、ローミングの場合、すなわち、ＵＥが自らのホームＰＬＭＮではないＣＮにアクセスする場合のＣＮアーキテクチャを示している。上記の通り、ＵＥは訪問先ネットワーク内のＡＭＦで登録するが、ＡＭＦはホームネットワークに接触して認証する。ホームネットワーク内のＵＤＭおよびＡＵＳＦは、ＵＥを認証して、訪問先ネットワーク内のＡＭＦに転送されるセキュリティコンテキストを生成する。
【００１３】
いかなる場合も、（Ｒ）ＡＮを提供する同じネットワークのコアネットワークノード（ＡＭＦ）によりＵＥが制御される。故に、ローミングの場合は、ホームネットワークでコアネットワーク制御を維持するアーキテクチャオプションがない。
【００１４】
ここでもやはり、本明細書ではデータ伝送に関わるネットワーク要素について説明しない。
【００１５】
ＷＯ２０１６／１８０８６５Ａ１では、信頼できない非３ＧＰＰネットワーク経由でのサービスへのアクセスを要求するＵＥに対処すること、特に、当該ＵＥがローミング状況にあるかどうかを検出することについて説明している。この情報は、信頼できないＮ３ＧＰＰアクセス経由のサービスをネットワークが制限または許可するのに使用される。本明細書では、場合によって、例えば、ＵＥが訪問先ネットワークのカバレッジにある場合に、Ｎ３ＧＰＰアクセス経由でのホーム接続が禁止されるべきであると想定している。
【００１６】
ＳＡ  ＷＧ２  Ｍｅｅｔｉｎｇ＃１１８−ｂｉｓで提出された３ＧＰＰの文書Ｓ２−１７０３１８では、ＵＥにサービス提供するＡＭＦを２つ（１つは３ＧＰＰアクセス用、もう１つは信頼できない非３ＧＰＰアクセス用）持つことが提案されている。
【００１７】
技術水準では、自らのホームネットワークのカバレッジの外側にあるＵＥは、例えば、ＷＬＡＮ経由で公衆インターネットにアクセスすることができ、自らのホームＮ３ＩＷＦにアクセスすることができる。故に、訪問先ネットワークに対してカバレッジを有するＵＥは、非３ＧＰＰアクセス経由で自らのホームネットワークに登録することが可能である。図３には、結果として得られるアーキテクチャが示されている。ＵＥは、訪問先ネットワーク内の（Ｒ）ＡＮおよびＡＭＦにリンクしない状態で示されている（点線は、存在しない潜在的なリンクを示しているに過ぎない）。代わりに、ＵＥは、ＷＬＡＮ経由でホームＮ３ＩＷＦにリンクしており、そこから、ＵＥが登録されるホームネットワーク内のＡＭＦにリンクしている。
【００１８】
この場合、ホームネットワークは、訪問先ネットワークのカバレッジにあるＵＥの位置を認識するかもしれないし、認識しないかもしれない。認識するには、ホームネットワークがＵＥから位置情報を受信してよく、または、ＵＥが使用するＷＬＡＮアクセスのアドレスの分析に基づいて、Ｎ３ＩＷＦが係る情報を提供する。
【００１９】
この状況にあるＵＥは更に、訪問先（Ｒ）ＡＮ経由で訪問先ネットワークへの登録を要求し得る。技術水準によれば、ホームネットワークには、訪問先ネットワークへのアクセスに影響を及ぼすための実行可能な手段がない。適切なネットワークを探して、見つかり次第、登録を要求するのが、現在の標準的なモバイルの挙動である。
【００２０】
ＵＥが訪問先ネットワークにアクセスするのを防止すべく、ホームネットワークは、禁止されたＰＬＭＮ（公衆陸上モバイルネットワーク）のリストにある訪問先ネットワークのアイデンティティをＵＥに提供し得る。結果として、当該リストが変更されるまで、ＵＥは決して訪問先ネットワークにアクセスしないであろう。ＵＥがＷＬＡＮカバレッジから出ると、訪問先ネットワークに対するアクセスの試みがなされず、ＵＥがどこにあるか分からなくなる。故に、ＵＥの位置に基づいて訪問先ＰＬＭＮを禁止することは、訪問先アクセスを制御するための実行可能なオプションではなく、他の手段は存在しない。
【００２１】
故に、訪問先ネットワークへのアクセスを決定するために、高度な制御機構をホームネットワークおよびＵＥに提供することが本発明の目的である。
【００２２】
ＵＥが（Ｒ）ＡＮ経由での訪問先ネットワークへの登録を要求する場合は、ＵＥが訪問先ネットワーク内の（Ｒ）ＡＮに自らの一時的なアイデンティティを提供することになる。一時的なＩＤは、Ｎ３ＧＰＰアクセス経由で登録している間にホームネットワークから受信された。（Ｒ）ＡＮは、訪問先ネットワーク内のＡＭＦを選択し、登録要求を転送することになる。訪問先ネットワーク内のＡＭＦは、提供された一時的なＵＥ識別情報により特定される、ホームネットワーク内のＡＭＦに接触して、ＵＥコンテキストのプロビジョニングおよびＵＥ制御のハンドオーバーを要求することになる。
【００２３】
先行技術によれば、訪問先ネットワーク内のＡＭＦは、ホームネットワーク内のＡＭＦからＵＥ制御を引き継ぐことになる。これに関する旧来の使用事例は、ホームから訪問先ネットワークへの境界を超えたＵＥのモビリティ、および、結果として得られるハンドオーバーである。 
【００２４】
現在考察している使用事例は異なるものであり、異なる解決手段を必要とする。ホームネットワークにとって制御のハンドオーバーを防止する唯一の方法は、適切な根拠でホームネットワーク内のＡＭＦによるコンテキスト転送を拒絶することである。訪問先ネットワーク内のＡＭＦに対する拒絶が、ＵＥに対する登録要求の拒絶（その原因も含まれている）へとつながることになる結果、提供された拒絶原因に応じてＵＥが動作することになる。
【００２５】
既知のアレンジにおいて、ＵＥは、当該ネットワークに禁止マークを付けることができ、ＵＩＣＣが取り除かれる、または、ＵＥの電源が切られるまで、二度とアクセスを要求することができない。これは、例えば、原因が「違法ＵＥ」である場合である。代わりに、ＵＥは、一定の時間間隔にわたって禁止されているネットワークアクセスを扱うことができる。タイマーが切れた後、例えば、原因が「一時的なネットワーク輻輳」である場合は、ＵＥにより次のアクセス要求が出され得る。他の理由が、現在のセルまたはトラッキングエリアがネットワークへアクセスするのに不適切であることを示す。これによって、ＵＥが、ＵＥモビリティに応じて異なるセルまたはトラッキングエリアからアクセスすることが可能となり得る。
【００２６】
ホームネットワークは、ホームネットワークへのＮ３ＧＰＰアクセスに基づくアクセス条件ではＵＥを設定することができない。すなわち、ホームネットワークへのＮ３ＧＰＰアクセスが存在している、または、ホームネットワークへのＮ３ＧＰＰアクセスが一定の条件を満たしている限りは訪問先ネットワークへのアクセスを禁止するようにＵＥを設定することができない。
【００２７】
故に、本発明の別の目的は、ホームネットワークへのＮ３ＧＰＰアクセスに基づいて訪問先ネットワークに対するＵＥ制御のハンドオーバーを拒絶する手段をホームネットワークに提供する一方で、Ｎ３ＧＰＰアクセスがドロップまたは解放されているときだけ訪問先ネットワークへ再びアクセスする設定をＵＥに提供することである。
【００２８】
本発明は、ホーム公衆陸上モバイルネットワーク（ＰＬＭＮ）により実行される、ＵＥデバイスが信頼できないネットワークにアクセスすることによってインターワーキング機能エンティティ経由でホームＰＬＭＮと接続するときに、非ホームＰＬＭＮに対するユーザ機器（ＵＥ）デバイスのアクセスを制御する方法を提供する。当該方法は、ＵＥデバイスが非ホームＰＬＭＮへのアタッチメントを要求した場合に、ＵＥデバイスの制御が非ホームＰＬＭＮにハンドオーバーされるべきかどうかの決定をホームＰＬＭＮで行う段階と、非ホームＰＬＭＮに当該決定を伝える段階とを含む。
【００２９】
更なる態様によると、本発明は、信頼できないネットワーク経由でホーム公衆陸上モバイルネットワーク（ＰＬＭＮ）との接続を確立するよう適合させられるユーザ機器（ＵＥ）デバイスを提供する。ここで、ＵＥデバイスは更に、信頼できないネットワーク経由でホームＰＬＭＮに接続されている間に非ホームＰＬＭＮとの接続を要求するよう適合させられ、非ホームＰＬＭＮから受信した拒絶メッセージに応答する。
【００３０】
本発明は、ユーザ機器（ＵＥ）デバイスにとってのホームＰＬＭＮとして機能し、かつ、ＵＥデバイスが信頼できないネットワークへアクセスすることによってインターワーキング機能エンティティ経由でホームＰＬＭＮと接続するときに、非ホームＰＬＭＮに対するＵＥデバイスのアクセスを制御するようアレンジされている、公衆陸上モバイルネットワーク（ＰＬＭＮ）も提供する。ここで、ホームＰＬＭＮは、ＵＥデバイスが非ホームＰＬＭＮへのアタッチメントを要求した場合に、ＵＥデバイスの制御が非ホームＰＬＭＮにハンドオーバーされるべきかどうかの決定をホームＰＬＭＮで行うよう構成され、非ホームＰＬＭＮに当該決定を伝えるよう構成される。
【００３１】
１つの態様によると、本発明は、非３ＧＰＰアクセスを介してホームネットワークに接続され得る、ホームネットワークの無線アクセスネットワークのカバレッジエリアの外側および第２のネットワークの無線アクセスネットワークのカバレッジエリアの内側にＵＥが存在することを特定する位置情報をホームネットワークに提供するユーザ機器（ＵＥ）デバイスを提供する。ここで、ＵＥは、ホームネットワークへの接続が確立されている限り、少なくとも１つのサービスについて第２のネットワークへのアクセスを禁止する設定情報をホームネットワークから受信し、ＵＥは、ホームネットワークへの接続が失われていることの検出に応答して、第２のネットワークの無線アクセスネットワークを介して第２のネットワークへの接続を要求する。
【００３２】
本発明は更に、非３ＧＰＰアクセスを介してホームネットワークに接続され得るＵＥを提供する。ここで、ＵＥは、訪問先ネットワークの無線アクセスネットワークを介して訪問先ネットワークにアタッチすることを要求し、ＵＥは、訪問先ネットワークにアタッチさせるための要求の拒絶を受信し、ホームネットワークへの接続が確立されている限り、訪問先ネットワークにアタッチさせるための更なる要求が少なくとも１つのサービスについて禁止されているという情報を受信し、ＵＥは、ホームネットワークへの接続が失われていることの検出に応答して、第２のネットワークの無線アクセスネットワークを介して第２のネットワークにアタッチすることを要求する。
【００３３】
本発明は、公衆陸上モバイルネットワーク（ＰＬＭＮ）、特にホームＰＬＭＮにおいて、ＵＥコンテキスト情報を有し、かつ、非３ＧＰＰアクセスを介してＵＥにアクティブに接続している、ＵＥのホームネットワーク内のノードを提供する。ここで、ノードは、ＵＥコンテキスト情報を提供させるための要求、および、訪問先ネットワークにＵＥ制御をハンドオーバーさせるための要求を受信し、ノードは、潜在的に既存のアクティブな接続に関して当該要求を拒絶し、ホームネットワークへの接続が確立されている限り、訪問先ネットワークにアタッチさせるための更なる要求が少なくとも１つのサービスについて禁止されているという情報をＵＥまたは訪問先ネットワークに提供する。
【００３４】
ノードは、ＵＥコンテキスト情報を提供させるための更なる要求、および、訪問先ネットワークにＵＥ制御をハンドオーバーさせるための更なる要求を受信し得る。ここで、ノードは、当該要求がＵＥとノードとの間の接続の損失に関する情報を含んでいると判断し、ノードは、ＵＥコンテキスト情報を提供し、訪問先ネットワークにＵＥ制御をハンドオーバーする。
【図面の簡単な説明】
【００３５】
ここで、添付の図面を参照しながら、単なる例として、好ましい実施形態について説明することにする。
【００３６】
【図１】ＰＬＭＮおよび非３ＧＰＰネットワークに接続されているＵＥの概略図である。
【図２】ホームＰＬＭＮと通信状態にある訪問先ＰＬＭＮに接続されているＵＥを示している。
【図３】非３ＧＰＰネットワーク経由で自らのホームＰＬＭＮに接続されているＵＥと、訪問先ＰＬＭＮへの考えられる接続とを示している。
【図４】訪問先ＰＬＭＮへのアクセスを要求する、非３ＧＰＰネットワークに接続されているＵＥを示したメッセージフローチャートである。
【発明を実施するための形態】
【００３７】
図３を参照すると、２つのセルラモバイルネットワーク、すなわち、ホームＰＬＭＮ（Ｈ−ＰＬＭＮ）および訪問先ＰＬＭＮ（Ｖ−ＰＬＭＮ）の簡略化したローミングアーキテクチャの制御機能が示されている。あるＵＥが、ＵＥのホームネットワークではないＶ−ＰＬＭＮセルラモバイルネットワークにより概してカバーされるエリアに存在する。ＵＥは当該ネットワークに接続されていない。点線は、現在の状況によれば存在しない理論上のリンクを示している。
【００３８】
ＵＥは、この例ではＷＬＡＮとして示されている非３ＧＰＰアクセスシステムに接続される。ＷＬＡＮは、ＵＥが自らのホームネットワークのＮ３ＩＷＦに接続できるように、公衆インターネットへのアクセスを提供し得る。ＵＥは、Ｎ３ＩＷＦ経由でホームネットワークにアタッチされると想定され、ひいては、ホームネットワークのＡＭＦにＮ１接続している。当該ＡＭＦは、ＵＥを認証するための認証サーバ機能（ＡＵＳＦ）と、加入者データを受信および記憶するユーザデータ管理（ＵＤＭ）とに接続される。ポリシー制御サーバＰＣＦへの接続によって、ＵＥが提供され得るサービスの質およびタイプに関するネットワーク関連の決定事項とＵＥの規則とが提供される。
【００３９】
図３は、現在ＵＥがアタッチされていない訪問先ネットワークＶ−ＰＬＭＮも示している。訪問先ネットワークは、信頼できる３ＧＰＰアクセスネットワークである無線アクセスネットワーク（Ｒ）ＡＮとＡＭＦとを提供する。ＡＭＦは、ホームネットワーク内のＡＭＦとＵＥとの間の接続のハンドオーバーを要求するため、および、ＡＵＳＦでＵＥを認証してＵＤＭからの加入者情報を要求するために、ホームネットワークに接続することができる。
【００４０】
図４は、本発明の例示的な実施形態を示している。前提条件として、ＵＥは、図３のＷＬＡＮのような信頼できない非３ＧＰＰアクセスネットワークに接続される。また、ＵＥは、非３ＧＰＰアクセスおよびＮ３ＩＷＦ経由で自らのホームネットワークにアタッチされる。ＵＥはホームネットワーク内のＡＭＦに接続しており、ＵＥはＡＵＳＦで認証される。図４には、前提条件がステップ０として示されている。
【００４１】
ＵＥがＮ３ＧＰＰアクセスを介して自らのホームネットワークにアクセスしている間、ステップ１ではＵＥが訪問先ネットワークを検出し、セルラモデムが３ＧＰＰ規格に従って当該ネットワークへのアタッチメントを開始する。ステップ２では、ＵＥが登録中にホームネットワークから受信した自らの一時的なＩＤを提供しながら、ＵＥがアタッチ要求を伝送する。アタッチ要求は、ＵＥと（Ｒ）ＡＮの基地局との間の無線リソース制御プロトコルのような下位層プロトコルのメッセージ内に伝送され得る。図４は、本発明に関連するメッセージのみを示している。
【００４２】
ステップ３では、（Ｒ）ＡＮが同じネットワーク内の適切なＡＭＦを選択し、ＡＭＦにアタッチ要求メッセージを転送することになる。ＡＭＦは、ＵＥアイデンティティが一時的なＵＥアイデンティティであるという性質により、ＵＥが現在別のネットワークにアタッチされていることを通知される。ネットワークの名前またはアドレス、および、ネットワーク内のＡＭＦの名前またはアドレスは、訪問先ネットワーク内のＡＭＦがホームネットワーク内のそれぞれのＡＭＦからのＵＥ制御のハンドオーバーを要求できるように、一時的なＵＥアイデンティティに符号化される。ステップ４では、これが情報要求メッセージで行われる。 
【００４３】
旧来のシステムでは、ホームネットワーク内のＡＭＦが情報応答の中で完全なＵＥコンテキストを伝送し、訪問先ネットワーク内のＡＭＦが制御の引き継ぎを開始するであろう。訪問先ネットワーク内のＡＭＦがハンドオーバーを承認した後、ホームネットワーク内のＡＭＦはＵＥコンテキストを削除し得る。
【００４４】
本発明によれば、ホームネットワーク内のＡＭＦは、訪問先ネットワークにＵＥ制御をハンドオーバーするかどうか、または、少なくとも非３ＧＰＰアクセスが可能である限り制御を維持するかどうかを決定する。この決定は、様々なパラメータに基づいたものであってよい。例としては、ｉ）非３ＧＰＰアクセスが訪問先ネットワークの制御下に保持され得るかどうか、すなわち、訪問先ネットワーク内のＡＭＦがＮ３ＧＰＰ接続を保持できるかどうか（これは、例えば、情報要求メッセージで、訪問先ネットワーク内のＡＭＦから受信した能力情報に基づいたものであってよい）、ｉｉ）現在の非３ＧＰＰ接続の質およびタイプ（タイプは、使用される技術、例えば、固定アクセス、ＷＬＡＮ８０２．１１系のサブスタンダード、使用される周波数帯（特に、より低い周波数が、より広範でより安定したカバレッジを提供するので好ましい）、ＭＩＭＯの使用などを区別し得る）、および、ｉｉｉ）現在のホームネットワーク負荷に関連するネットワークからのポリシー、ＵＥデバイス固有のポリシー、Ｎ３ＧＰＰアクセス識別情報に基づくポリシーなど（これらのポリシーは、ステップ５ａ／５ｂにおいて、それぞれのポリシー制御サーバ（ＰＣＦ）にＡＭＦにより要求され得る）が挙げられる。
【００４５】
ＡＭＦが制御のハンドオーバーの拒絶を決定したと想定すると、要求を拒絶する一方で、訪問先ネットワークに入ることをＵＥが概して許可されているということをＵＥに示す理由原因を提供することは、本発明の１つの重要な態様であるが、非３ＧＰＰアクセスを介した既存の接続に関して現在の要求は拒絶される。図４のステップ６、７および８は、拒絶メッセージがホームネットワーク内のＡＭＦから訪問先ネットワーク内のＡＭＦに、そして、そこから（Ｒ）ＡＮ経由でＵＥに伝えられるところを示している。それぞれのメッセージが拒絶原因「ホーム登録保持」を含む状態で示されている。
【００４６】
この実施形態によれば、ＵＥは、ホームネットワークへのＮ３ＧＰＰアクセスが保持されている限り、ネットワークに再びアクセスすることを避ける。これは、新たな拒絶原因が、既存のＮ３ＧＰＰアクセスに基づいて訪問先ネットワークへアクセスするための条件付き禁止を表す結果である。
【００４７】
しかしながら、ＵＥは、緊急電話用のネットワークを使用すべく、訪問先ネットワークのセルにキャンプオンし得る。緊急電話の場合、ＵＥは、訪問先ネットワークにおいて異なる扱いを受けることができ、かつ、拒絶されないであろう、緊急アタッチを要求することになる。それはまた、ＵＥがまず、非３ＧＰＰアクセスを介して、訪問先ネットワークを使用できない場合にのみ、緊急電話をかけることを試みるべきかどうか、または、訪問先ネットワークが緊急電話に直接使用されることになるかどうかを設定する、アタッチ拒絶に含まれる情報があるということかもしれない。
【００４８】
緊急電話以外、ＵＥは非３ＧＰＰアクセスのみを介して通信することになる。
【００４９】
ある代わりの実施形態によると、ホームネットワークは、ＵＥによりセットアップされるサービスのうちのどれが訪問先ネットワークへのアタッチメントをトリガできるのか、および、当該サービスのうちのどれが訪問先ネットワークへのアタッチメントをトリガできないのかに関するより詳しい情報をＵＥに提供する。ここで、訪問先ネットワークへの制御のハンドオーバーをトリガできるサービスは（緊急サービスのみならず）様々であるが、トリガすべきではないサービスもあるといったように、ホームネットワークにより構成され得る。
【００５０】
ここで、しばらくして（幾らかの時間の経過が図４の水平な点線で示されている）非３ＧＰＰアクセスを介したホームネットワークへの接続が切断されると想定する。これは、ＷＬＡＮアクセスポイントのカバレッジの外側へのＵＥの移動によるかもしれないし、ＷＬＡＮとＮ３ＩＷＦとの間のネットワークオーバーロードによるかもしれない。
【００５１】
ＵＥは切断を検出し、訪問先ネットワークにアタッチする新たな試みを早急に開始する。本発明によれば、この試みは、前の非３ＧＰＰアクセスが失われたという情報を含み得る。要求およびこの損失の情報は、訪問先ネットワーク内のＡＭＦに伝えられ、ホームネットワーク内のＡＭＦは、ＵＥの制御をハンドオーバーするよう要求される。ホームネットワーク内のＡＭＦが既にＵＥへの接続の切断を検出した場合は、今やホームネットワークが制御のハンドオーバーを決定し、ステップ１１および１３で示されているような旧来のステップで実行することになる。
【００５２】
それはまた、特に切断の理由が失われたＷＬＡＮ接続である場合に、ホームネットワーク内のＡＭＦが接続の切断を検出しなかったということかもしれない。その場合、ＵＥはホームネットワークよりもはるかに速くこの損失を検出することになる。その場合、アタッチ要求の中でＵＥにより提供される、失われた前の接続に関する情報は、ＡＭＦがＵＥに対する自らの接続の最新状態に基づいて決定を行うことができるよう、ステップ１１でホームネットワーク内のＡＭＦに転送される。
【００５３】
上記は本発明の一実施形態である。要約すると、ホームネットワークは、ＵＥ制御を訪問先ネットワークにハンドオーバーさせるための要求を拒絶し、現在の接続が解放されるときに再び試みるよう（または、現在の接続が解放されるまでは試みないよう）ＵＥに通知する。
【００５４】
本発明のある代わりの実施形態によると、ＵＥは、緊急サービス用の訪問先ネットワークにのみアクセスすべく非３ＧＰＰアクセスを介して接続されている間に、または、ホームネットワークへの接続が失われているときに、ホームネットワークから設定される。その場合、ＵＥは、ネットワークにアクセスする試みを行わないであろう（図４のステップ１から８は省略される）。ＵＥはその後、通常のセル選択を実行して、緊急電話の準備として最適なセルにキャンプオンし得る。非３ＧＰＰ接続が持続している限りはＵＥがあまり移動していないと想定して、ＵＥはまた、セルラ無線またはセルラモデムを、より長いスリープサークル、または電源オフモードとしてもよく、見つかった最後のセルは依然として、速い接続セットアップを可能とする。
【００５５】
ＵＥの係る設定は、ＵＥが訪問先ネットワークのカバレッジにあることをネットワークが把握するときに、ＵＥのアタッチ中またはアタッチ後にホームネットワーク内のＡＭＦから受信され得る。この情報は、位置、例えば、ＧＰＳ位置として明示的に、または、検出されたネットワークに関する情報、例えば、検出された最も強力なセルからの国コードおよびネットワークコードとして、ＵＥにより送信され得る。応答中のネットワークは、ホームネットワークによる制御を維持すべく、ネットワークにアクセスしないようＵＥを設定し得る。上記の通り、代わりに、ホームネットワークは、訪問先ネットワークでのアタッチが許可されているサービス、および、訪問先ネットワークでのアタッチが許可されていないサービスを設定する。
（項目１）
ホーム公衆陸上モバイルネットワーク（ＰＬＭＮ）により実行される、ユーザ機器（ＵＥ）デバイスが信頼できないネットワークにアクセスすることによってインターワーキング機能エンティティ経由で前記ホームＰＬＭＮと接続するときに、非ホームＰＬＭＮに対する前記ＵＥデバイスのアクセスを制御する方法であって、前記方法は、
前記ＵＥデバイスが前記非ホームＰＬＭＮへのアタッチメントを要求した場合に、前記ＵＥデバイスの制御が前記非ホームＰＬＭＮにハンドオーバーされるべきかどうかの決定を前記ホームＰＬＭＮで行う段階と、
前記非ホームＰＬＭＮに前記決定を伝える段階と
を備え、
前記ホームＰＬＭＮは、前記ＵＥデバイスの要求が拒絶されているというメッセージを前記非ホームＰＬＭＮに伝え、前記メッセージは更に、前記ホームＰＬＭＮとの前記接続が確立されている間、前記ＵＥデバイスによる前記非ホームＰＬＭＮへのアタッチメントの更なる要求が少なくとも１つのサービスについて禁止されていることを示すことで、前記インターワーキング機能エンティティ経由での前記ホームＰＬＭＮへの前記接続が保持されている限り、前記ＵＥデバイスに、前記少なくとも１つのサービスについて前記非ホームＰＬＭＮへのアタッチメントの要求を避けさせる、方法。
（項目２）
前記ホームＰＬＭＮは、前記決定を行うときに、前記信頼できないネットワークへの前記アクセスが前記非ホームＰＬＭＮにより制御され得るかどうか、前記信頼できないネットワークへのアクセスの質、前記信頼できないネットワークへのアクセスのタイプ、および、前記ホームＰＬＭＮの１つまたは複数のポリシーのうちの少なくとも１つを考慮する、項目１に記載の方法。
（項目３）
前記ホームＰＬＭＮの前記１つまたは複数のポリシーは、前記ホームＰＬＭＮの現在のネットワーク負荷に関するポリシー、ＵＥデバイス固有のポリシー、および、前記信頼できないネットワークの識別情報に関するポリシーのうちの少なくとも１つを含む、項目２に記載の方法。
（項目４）
前記ホームＰＬＭＮは、前記信頼できないネットワーク経由での前記接続が切断されたという判断を受けて、前記非ホームＰＬＭＮにＵＥデバイスコンテキスト情報を提供する、項目１から３の何れか一項に記載の方法。
（項目５）
信頼できないネットワーク経由でホーム公衆陸上モバイルネットワーク（ＰＬＭＮ）との接続を確立するよう適合させられるユーザ機器（ＵＥ）デバイスであって、前記ＵＥデバイスは更に、要求メッセージを用いて、前記信頼できないネットワーク経由で前記ホームＰＬＭＮに接続されている間に非ホームＰＬＭＮとの接続を要求するよう適合させられ、前記要求メッセージは、前記信頼できないネットワーク経由での前記ホームＰＬＭＮへの前記接続が確立されているという情報を含み、
前記ＵＥデバイスは、前記ホームＰＬＭＮとの前記接続が確立されている間、前記非ホームＰＬＭＮへのアタッチメントの更なる要求が少なくとも１つのサービスについて禁止されていることを前記ＵＥデバイスに通知する拒絶メッセージを前記非ホームＰＬＭＮから受信するよう適合させられ、前記ＵＥデバイスは、
前記信頼できないネットワーク経由での前記ホームＰＬＭＮへの前記接続が保持されている限り、前記非ホームＰＬＭＮとの接続を要求することを避けること、
特定のサービスについては前記非ホームＰＬＭＮに接続し、他のサービスについては前記非ホームＰＬＭＮに接続しないこと、および、
緊急アタッチ手続きを用いて緊急電話をかけることができるよう、前記非ホームＰＬＭＮのセルにキャンプオンすること
のうちの少なくとも１つを実行することにより、前記非ホームＰＬＭＮから受信した前記拒絶メッセージに応答する、ＵＥデバイス。
（項目６）
前記ＵＥデバイスは、前記信頼できないネットワーク経由での前記ホームＰＬＭＮへの前記接続が失われた場合に、前記非ホームＰＬＭＮへの接続を要求するようアレンジされる、項目５に記載のＵＥデバイス。
（項目７）
ユーザ機器（ＵＥ）デバイスにとってのホームＰＬＭＮとして機能し、かつ、前記ＵＥデバイスが信頼できないネットワークにアクセスすることによってインターワーキング機能エンティティ経由で前記ホームＰＬＭＮと接続するときに、非ホームＰＬＭＮに対する前記ＵＥデバイスのアクセスを制御するようアレンジされている、公衆陸上モバイルネットワーク（ＰＬＭＮ）であって、前記ホームＰＬＭＮは、
前記ＵＥデバイスが前記非ホームＰＬＭＮの無線アクセスネットワークのカバレッジにあることを示す情報を前記ＵＥデバイスから受信したことに応答して、前記ＵＥデバイスの設定情報を提供するよう構成され、前記設定情報は、前記ホームＰＬＭＮとの前記接続が確立されている間、前記ＵＥデバイスによる前記非ホームＰＬＭＮへのアタッチメントの要求が少なくとも１つのサービスについて禁止されていることを示すことで、前記インターワーキング機能エンティティ経由での前記ホームＰＬＭＮへの前記接続が保持されている限り、前記ＵＥデバイスに、前記少なくとも１つのサービスについて前記非ホームＰＬＭＮへのアタッチメントの要求を避けさせる、ＰＬＭＮ。
（項目８）
前記ＵＥデバイスが前記非ホームＰＬＭＮの無線アクセスネットワークのカバレッジにあることを示す前記情報は、前記非ホームＰＬＭＮの前記無線アクセスネットワークから受信した信号の検出、前記非ホームＰＬＭＮの前記無線アクセスネットワークから受信した情報、および、前記ＵＥデバイスの位置に関する位置情報のうちの少なくとも１つである、項目７に記載のＰＬＭＮ。
（項目９）
信頼できないネットワーク経由でホーム公衆陸上モバイルネットワーク（ＰＬＭＮ）との接続を確立するよう適合させられるユーザ機器（ＵＥ）デバイスであって、前記ＵＥデバイスは更に、
前記ＵＥデバイスが非ホームＰＬＭＮの無線アクセスネットワークのカバレッジにあることを示す情報を前記ホームＰＬＭＮに伝送することと、
前記ホームＰＬＭＮから設定情報を受信することであって、前記設定情報は、前記ホームＰＬＭＮとの前記接続が確立されている間、前記ＵＥデバイスによる前記非ホームＰＬＭＮへのアタッチメントの要求が少なくとも１つのサービスについて禁止されていることを示すことで、インターワーキング機能エンティティ経由での前記ホームＰＬＭＮへの前記接続が保持されている限り、前記ＵＥデバイスに、前記少なくとも１つのサービスについて前記非ホームＰＬＭＮへのアタッチメントの要求を避けさせる、受信することと、
前記ＵＥデバイスが前記ホームＰＬＭＮとの前記接続の損失を検出したことに応答して、前記非ホームＰＬＭＮへのアタッチメントを要求することと
を行うよう適合させられる、ＵＥデバイス。
【図１】
0006973895.tif 000002
【図２】
0006973895.tif 000003
【図３】
0006973895.tif 000004
【図４】
0006973895.tif 000005